(57)【特許請求の範囲】
【請求項１】
軸方向の突条を有する第１軸孔が形成された第１ヒンジアームを基部に設けた第１筐体と、
第２軸孔が形成された第２ヒンジアームを基部に設けた第２筐体と、
軸方向に延びる溝を有し、前記第１軸孔及び第２軸孔に嵌合されて前記第１筐体と第２筐体とを開閉可能に連結するヒンジ軸と、
を備える携帯端末装置において、
前記第１軸孔内の内周面に、前記軸方向に延びる一対の前記突条を対向して夫々形成し、各突条と係合する前記溝を前記ヒンジ軸に形成し、各突条の前記第２ヒンジアーム側の端部が前記第１軸孔の端部よりも該第１軸孔の内方に位置するように前記突条を前記第１の軸孔に形成することで、前記溝の一部に各突条を部分的に係合させたことを特徴とする携帯端末装置。
【請求項２】
前記第１軸孔の端部に面取り部を形成したことを特徴とする請求項１記載の携帯端末装置。
【請求項３】
前記第１軸孔の端部を曲線的に拡径するように形成したことを特徴とする請求項１記載の携帯端末装置。
【発明の詳細な説明】
【技術分野】
【０００１】
本発明は、折りたたみ式携帯電話機等の携帯端末装置に関するものである。
【背景技術】
【０００２】
従来、送話部（第１筐体）の取付部（第１ヒンジアーム）には取付孔（第１軸孔）が設けられ、この取付孔の内側には軸方向全長に亘る一対の係止突条が１８０°間隔で設けられており、内部に、ヒンジを構成する軸状のケース（ヒンジ軸）がその外周軸方向に設けた凹溝を前記係止突条と係合させつつ嵌入され、前記ヒンジ（ケース：ヒンジ軸）を介して受話部（第２筐体）を折りたたみ可能に送話部（第１筐体）に取付けた携帯電話機（携帯端末装置）がある（例えば、特許文献１参照）。
【０００３】
【特許文献１】特開２００４−８４８０５号公報（第３−４頁、第２−７図）
【発明の開示】
【発明が解決しようとする課題】
【０００４】
しかしながら、上記従来の携帯端末装置は、取付孔（第１軸孔）の係止突条が取付部（第１ヒンジアーム）の端面まで形成されているので、送話部（第１筐体）と受話部（第２筐体）との間に捻じり力等の強い力が作用すると、取付部（第１ヒンジアーム）の端面の係止突条の付け根に応力集中が起こり、付け根にクラックが入って取付部（第１ヒンジアーム）が破損し易い、という問題があった。特に、ＴＶ画像を鑑賞するために液晶表示部（第２筐体）を横向きに回転させる構造の携帯電話機等、取付部（第１ヒンジアーム）に大きな力がかかる装置においては、この問題が顕著であった。
【０００５】
本発明は、上記に鑑みてなされたものであって、取付部（第１ヒンジアーム）の端面の応力集中を緩和し、取付部（第１ヒンジアーム）が破損し難い携帯端末装置を得ることを目的とする。
【課題を解決するための手段】
【０００６】
開示の態様は、軸方向の突条を有する第１軸孔が形成された第１ヒンジアームを基部に設けた第１筐体と、第２軸孔が形成された第２ヒンジアームを基部に設けた第２筐体と、軸方向に延びる溝を有し、前記第１軸孔及び第２軸孔に嵌合されて前記第１筐体と第２筐体とを開閉可能に連結するヒンジ軸と、を備える携帯端末装置において、前記突条の前記第２ヒンジアーム側の端部が前記第１軸孔の端部よりも該第１軸孔の内方に位置するように前記突条を前記第１の軸孔に形成することで、前記溝の一部に前記突条を部分的に係合させたことを特徴とする。
【０００７】
また、開示の態様は、前記第１軸孔の端部に面取り部を形成したことを特徴とする。
【０００８】
また、開示の態様は、前記第１軸孔の端部を曲線的に拡径するように形成したことを特徴とする。
【発明の効果】
【０００９】
開示の態様では、第１ヒンジアームの端面の応力集中が緩和され、第１ヒンジアームが破損し難いという効果を奏する。 
【００１０】
また、開示の態様では、第１ヒンジアームの端面の応力集中が、さらに緩和される。
【００１１】
また、開示の態様では、第１ヒンジアームの端面の応力集中が、さらに緩和される。
【発明を実施するための最良の形態】
【００１２】
以下に、本発明にかかる携帯端末装置の実施例を図面に基づいて詳細に説明する。なお、この実施例によりこの発明が限定されるものではない。
【実施例１】
【００１３】
図１は、本発明にかかる携帯端末装置の外観を模式的に示す斜視図であり、図２は、本発明にかかる携帯端末装置の実施例１の第１筐体を示す斜視図であり、図３は、図２のＡ部拡大図であって第１ヒンジアームの斜視図であり、図４は、滑りリング装着前の第１ヒンジアームを示す斜視図であり、図５は、滑りリング装着後の第１ヒンジアームを示す斜視図であり、図６は、ヒンジ軸の斜視図であり、図７は、ヒンジ軸嵌合前のヒンジ部の断面図であり、図８は、ヒンジ軸嵌合後のヒンジ部の断面図である。
【００１４】
図１に示すように、携帯端末装置としての携帯電話機１００は、掌サイズの直方体状の第１筐体２０及び第２筐体３０と、第１筐体２０と第２筐体３０とを開閉可能に連結するヒンジ部４０とを備える。
【００１５】
第１筐体２０は、送話部２１、ダイヤルキー、機能キー等の操作キー２２、アンテナ２３等を備えている。第２筐体３０は、受話部３１、液晶表示部３２等を備えている。図１は、第２筐体３０が開かれた状態を示している。第１筐体２０の基部の両側部には、第１ヒンジアーム４１、４１が設けられている。第２筐体３０の基部の中央部には、第２ヒンジアーム４３が設けられている。
【００１６】
図２及び図３に示すように、第１ヒンジアーム４１、４１には、夫々第１軸孔４１ａが形成され、第１軸孔４１ａ内には、上下各一対の突条４１ｂ、４１ｂが所定の間隔で軸方向に延設されている。突条４１ｂの内側端部（第２ヒンジアーム４３側の端部）４１ｃが、第１軸孔４１ａの端部（内側端面４１ｇ）よりも、約１ｍｍ程度、第１軸孔４１ａの内方に位置するように突条４１ｂが形成されている。同様に、突条４１ｂの外側端部４１ｄは、第１ヒンジアーム４１の外側端面４１ｈよりも、約１ｍｍ程度、第１軸孔４１ａの内方に形成されている。
【００１７】
図４に示すように、第１ヒンジアーム４１の内側端面４１ｇには、環状凹部４１ｉが形成されている（図３では、環状凹部４１ｉの図示を省略している。）。図４及び図５に示すように、環状凹部４１ｉには、環状の滑りリング４５が装着される。滑りリング４５の厚さは、環状凹部４１ｉの深さよりも厚く形成されていて、滑りリング４５の内側面４５ａは、第１ヒンジアーム４１の内側端面４１ｇよりも内側に出ている。
【００１８】
図６〜図８に示すように、第１ヒンジアーム４１、４１と第２ヒンジアーム４３とを回動可能に連結するヒンジ軸４７は、全体として略短円柱状に形成されている。ヒンジ軸４７は、鍔部４７ａ及び切欠き部４７ｂを有し第２ヒンジアーム４３の第２軸孔４３ｂ内に形成された内フランジ４３ａに挿入係止されてヒンジ軸４７を抜け止めする小径の係止部４７ｃと、上下各一対の軸方向の溝４７ｆ、４７ｆが形成された大径の軸部４７ｈとから成っている。
【００１９】
第１ヒンジアーム４１、４１と第２ヒンジアーム４３とを連結するときは、第２ヒンジアーム４３を第１ヒンジアーム４１、４１間に挿入し、第１軸孔４１ａの軸心と第２軸孔４３ｂの軸心とを一致させ、ヒンジ軸４７を、第１ヒンジアーム４１の外側方から係止部４７ｃを先頭にして、第１軸孔４１ａ及び第２軸孔４３ｂに嵌入させる。
【００２０】
このとき、ヒンジ軸４７の夫々一対の軸方向の溝４７ｆ、４７ｆに第１軸孔４１ａの夫々一対の突条４１ｂ、４１ｂを係合させてヒンジ軸４７を回り止めし、ヒンジ軸４７の先端の係止部４７ｃを第２軸孔４３ｂの内フランジ４３ａに挿入係止させてヒンジ軸４７を抜け止めする。最後に第１ヒンジアーム４１の外側にキャップ４９を装着すれば携帯電話機１００の組立が完了する。
【００２１】
第２ヒンジアーム４３の第２軸孔４３ｂには回り止め用の突条が形成されておらず、また、第２ヒンジアーム４３と第１ヒンジアーム４１、４１との間には、滑りリング４５が介在するので、第２ヒンジアーム４３は、第１ヒンジアーム４１、４１に対して滑らかに回動可能である。
【００２２】
図４に示すように、突条４１ｂの内側端部（第２ヒンジアーム４３側の端部）４１ｃが、第１軸孔４１ａの端部（環状凹部４１ｉ）よりも、約１ｍｍ程度、第１軸孔４１ａの内方に位置するように突条４１ｂが形成されているので、第１軸孔４１ａの端部は完全な円形となっている。それ故、第１筐体２０と第２筐体３０との間に強い捩じり力又は曲げ力が作用し、突条４１ｂに強い力が作用しても、第１軸孔４１ａの端部に応力集中は発生せず、応力集中により第１軸孔４１ａの端部にクラックが入って第１ヒンジアーム４１が破損することはない。
【実施例２】
【００２３】
図９は、本発明にかかる携帯端末装置の実施例２を示す第１ヒンジアームの斜視図である。実施例２の携帯端末装置は、図９に示す第１ヒンジアーム４１の一部形状のみが、実施例１と異なっているので、異なる部分について説明し、他の部分の説明は省略する。
【００２４】
図９に示すように、突条４１ｂの内側端部（第２ヒンジアーム４３側の端部）４１ｃは、第１ヒンジアーム４１の環状凹部４１ｉよりも、約１ｍｍ程度、第１軸孔４１ａの内方に形成され、かつ、第１軸孔４１ａの端部には、完全な円形の面取り部４１ｍが形成されている。
【００２５】
それ故、第１筐体２０と第２筐体３０との間に強い捩じり力又は曲げ力が作用し、突条４１ｂに強い力が作用しても、第１軸孔４１ａの端部に高い応力は発生せず、さらに、端部には、完全な円形の面取り部４１ｍが形成されて端部のエッジ部が無くなっているので、ヒンジ軸４７のエッジ部への当りによる応力も緩和され、さらにクラックが発生し難くなっている。なお、この面取り部４１ｍを、曲線的に拡径するように形成（いわゆるＲ部を形成する。）してもよい。
【００２６】
なお、実施例１、２では、第１筐体２０の基部の両側部に第１ヒンジアーム４１、４１を設け、第２筐体３０の基部の中央部に第２ヒンジアーム４３を設けたが、第１筐体２０の基部の中央部に第１ヒンジアーム４１を設け、第２筐体３０の基部の両側部に第２ヒンジアーム４３、４３を設けるようにしてもよい。
【００２７】
また、実施例１、２では、携帯端末装置として、携帯電話機への適用例を説明したが、本発明はこれに限定されるものではなく、ＰＤＡ（PersonalDigitalAssistants）のような小型情報処理端末、小型音楽再生装置、携帯テレビ、携帯型ゲーム機等の他の各種携帯端末装置にも適用することができる。
【産業上の利用可能性】
【００２８】
以上のように、本発明にかかる携帯端末装置は、ＴＶ画像を鑑賞するために液晶表示部を横向きに回転させる構造の携帯電話機等、ヒンジ部に大きな力がかかる装置に適している。
【図面の簡単な説明】
【００２９】
【図１】本発明にかかる携帯端末装置の外観を模式的に示す斜視図である。
【図２】本発明にかかる携帯端末装置の実施例１の第１筐体を示す斜視図である。
【図３】図２のＡ部拡大図であって第１ヒンジアームの斜視図である。
【図４】滑りリング装着前の第１ヒンジアームを示す斜視図である。
【図５】滑りリング装着後の第１ヒンジアームを示す斜視図である。
【図６】ヒンジ軸の斜視図である。
【図７】ヒンジ軸嵌合前のヒンジ部の断面図である。
【図８】ヒンジ軸嵌合後のヒンジ部の断面図である。
【図９】本発明にかかる携帯端末装置の実施例２を示す第１ヒンジアームの斜視図である。
【符号の説明】
【００３０】
２０  第１筐体
２１  送話部
２２  操作キー
２３  アンテナ
３０  第２筐体
３１  受話部
３２  液晶表示部
４０  ヒンジ部
４１  第１ヒンジアーム
４１ａ  第１軸孔
４１ｂ  突条
４１ｃ  内側端部（第２ヒンジアーム側の端部）
４１ｄ  外側端部
４１ｇ  内側端面
４１ｈ  外側端面
４１ｉ  環状凹部
４１ｍ  面取り部
４３  第２ヒンジアーム
４３ａ  内フランジ
４３ｂ  第２軸孔
４５  滑りリング
４５ａ  内側面
４７  ヒンジ軸
４７ａ  鍔部
４７ｂ  切欠き部
４７ｃ  係止部
４７ｆ  溝
４７ｈ  軸部
４９  キャップ
１００  携帯電話機（携帯端末装置）
【図１】
0005401776.tif 000002
【図２】
0005401776.tif 000003
【図３】
0005401776.tif 000004
【図４】
0005401776.tif 000005
【図５】
0005401776.tif 000006
【図６】
0005401776.tif 000007
【図７】
0005401776.tif 000008
【図８】
0005401776.tif 000009
【図９】
0005401776.tif 000010